(57)【要約】【課題】電解質膜よりカソード電極触媒層側とアノード電極触媒層側との差圧が増大することにより、電解質膜に加えられる荷重が増大した場合であっても、電解質膜の損傷を効果的に回避することが可能な水電解装置を提供する。【解決手段】水電解装置１０は、水の電気分解で、電解質膜４０よりアノード電極触媒層４２ａ側に発生する酸素に比して高圧となるように、電解質膜４０よりカソード電極触媒層４４ａ側に水素を発生させる水電解セル１２を備える。水電解セル１２は、その積層方向に沿って、水素を流通させる水素連通孔３８ｃが貫通形成される。電解質膜４０では、水素連通孔３８ｃの近傍に設けられ且つカソード電極触媒層４４ａから露出する露出面４０ａがカソード給電体４４で覆われる。【選択図】図３
2019157213.tif 000002
【特許請求の範囲】
【請求項１】
一方の面にアノード電極触媒層が設けられ且つ他方の面にカソード電極触媒層が設けられた電解質膜と、アノード電極触媒層にアノード給電体を介して積層されるアノードセパレータと、カソード電極触媒層にカソード給電体を介して積層されるカソードセパレータと、を有し、水の電気分解で、前記電解質膜より前記アノード電極触媒層側に発生する酸素に比して高圧となるように、前記電解質膜より前記カソード電極触媒層側に水素を発生させる水電解セルを備える水電解装置であって、
前記水電解セルは、前記アノードセパレータと前記電解質膜と前記カソードセパレータとの積層方向に沿って、前記水素を流通させる水素連通孔が貫通形成され、
前記電解質膜では、前記水素連通孔の近傍に設けられ且つ前記カソード電極触媒層から露出する露出面が多孔質体で覆われることを特徴とする水電解装置。
【請求項２】
請求項１記載の水電解装置において、
前記多孔質体は、前記カソード給電体であり、
前記カソード給電体は、前記露出面に臨む面の裏面の少なくとも前記水素連通孔の近傍が絶縁シートで覆われることを特徴とする水電解装置。
【請求項３】
請求項２記載の水電解装置において、
前記カソード給電体は、前記水電解装置の通常運転時に加えられる圧力より高い圧力が加えられた場合に、該カソード給電体の細孔が圧縮されて形状変化し、前記水電解装置の通常運転時には、前記細孔が圧縮前の形状に維持されることを特徴とする水電解装置。
【請求項４】
請求項１記載の水電解装置において、
前記カソード給電体は、前記水素連通孔と間隔を置いて配設され、
前記多孔質体は、前記カソード電極触媒層とは別体からなる多孔質部材であり、
前記多孔質部材は、前記カソード給電体と前記水素連通孔との間に配設されて、前記露出面を覆うことを特徴とする水電解装置。
【請求項５】
請求項４記載の水電解装置において、
前記多孔質部材は、導電性であり且つ前記露出面に臨む面の裏面の少なくとも前記水素連通孔の近傍が絶縁シートで覆われることを特徴とする水電解装置。
【請求項６】
請求項２、３、５の何れか１項に記載の水電解装置において、
前記絶縁シートの前記多孔質体とは反対側に隣接する隣接部材には、前記積層方向の深さが前記絶縁シートの厚さ以上であり、前記絶縁シートを収容する凹部が設けられることを特徴とする水電解装置。
【発明の詳細な説明】
【技術分野】
【０００１】
本発明は、水を電気分解して酸素と水素を発生させ、酸素よりも高圧の水素を得る水電解装置に関する。
【背景技術】
【０００２】
水を電気分解して水素及び酸素を発生させる水電解装置として、固体高分子からなる電解質膜を用いるものが知られている。電解質膜の一方の面にアノード電極触媒層が設けられ、且つ他方の面にカソード電極触媒層が設けられることで、電解質膜・電極構造体が構成される。電解質膜・電極構造体のアノード電極触媒層側にアノード給電体及びアノードセパレータが積層され、且つカソード電極触媒層側にカソード給電体及びカソードセパレータが積層されることで水電解セルが構成される。
【０００３】
この水電解セルを複数積層した積層体を備える水電解装置では、水の電気分解により、電解質膜よりアノード電極触媒層側に酸素を発生させるとともに、カソード電極触媒層側に水素を発生させる。この際、電解質膜は、アノード電極触媒層で生じたプロトンをカソード電極触媒層へと伝導させることや、アノード電極触媒層側とカソード電極触媒層側とをシールするとともに電気的に絶縁すること等の役割を果たす。
【０００４】
上記のようにして発生させた水素を高圧タンク内に圧縮した状態で貯蔵する場合、機械式のコンプレッサ等で水素を圧縮すると、該圧縮のために余分な電力が消費されてしまう。そこで、例えば、特許文献１には、機械式のコンプレッサ等を用いることなく大気圧より昇圧した水素を得る差圧式高圧水電解装置が提案されている。
【０００５】
この種の水電解装置では、各水電解セルで発生させた水素を該水電解装置の外部に排出するための水素連通孔が積層体の積層方向に沿って貫通形成されている。この水素連通孔からの水素の排出を規制した状態で、水の電気分解反応を進行させることによって、各水電解セルの電解質膜よりカソード電極触媒層側をアノード電極触媒層側に比して昇圧させ、高圧の水素を得ることができる。
【先行技術文献】
【特許文献】
【０００６】
【特許文献１】特開２０１６−４７９４６号公報
【発明の概要】
【発明が解決しようとする課題】
【０００７】
近年、高圧タンクに貯蔵する水素の高圧化等が進んでいることから、水電解装置によって得られる水素についてもさらなる高圧化を図ることが求められる。この場合、電解質膜よりカソード電極触媒層側とアノード電極触媒層側の差圧が増大することになるため、該差圧に耐え得るように水電解装置における各構成要素を設計する必要がある。
【０００８】
本発明は、この種の技術に関連してなされたものであり、電解質膜よりカソード電極触媒層側とアノード電極触媒層側との差圧が増大することにより、電解質膜に加えられる荷重が増大した場合であっても、電解質膜の損傷を効果的に回避することが可能な水電解装置を提供することを目的とする。
【課題を解決するための手段】
【０００９】
上記の目的を達成するため、本発明は、一方の面にアノード電極触媒層が設けられ且つ他方の面にカソード電極触媒層が設けられた電解質膜と、アノード電極触媒層を覆うアノード給電体に積層されるアノードセパレータと、カソード電極触媒層を覆うカソード給電体に積層されるカソードセパレータと、を有し、水の電気分解で、前記電解質膜より前記アノード電極触媒層側に発生する酸素に比して高圧となるように、前記電解質膜より前記カソード電極触媒層側に水素を発生させる水電解セルを備える水電解装置であって、前記水電解セルは、前記アノードセパレータと前記電解質膜と前記カソードセパレータとの積層方向に沿って、前記水素を流通させる水素連通孔が貫通形成され、前記電解質膜は、前記水素連通孔の近傍に設けられ且つ前記カソード電極触媒層から露出する露出面が多孔質体で覆われることを特徴とする。
【００１０】
この水電解装置では、電解質膜の水素連通孔の近傍にカソード電極触媒層から露出する露出面が設けられ、該露出面が多孔質体によって覆われる。多孔質体は、電解質膜よりカソード電極触媒層側とアノード電極触媒層側との差圧が増大することにより加えられる荷重が増大した場合であっても、該多孔質体の細孔が圧縮されるように形状変化することで、該荷重を良好に吸収できる。従って、電解質膜の露出面は、カソード電極触媒層から露出しても、多孔質体に覆われることで上記の荷重の影響を受けて損傷することが回避される。
【００１１】
また、上記の荷重によって、多孔質体が露出面に押圧されると、該多孔質体の細孔内に電解質膜の一部が進入することで、互いの間にアンカー効果が生じる。このため、多孔質体を介して露出面に加えられる上記の荷重が増大した場合に、該露出面がその面方向に伸長変形することを抑制できる。これによっても、電解質膜の損傷が回避される。
【００１２】
以上から、この水電解装置によれば、電解質膜よりカソード電極触媒層側とアノード電極触媒層側との差圧が増大することにより、電解質膜に加えられる荷重が増大した場合であっても、電解質膜の損傷を効果的に回避することが可能である。
【００１３】
上記の水電解装置において、前記多孔質体は、前記カソード給電体であり、前記カソード給電体は、前記露出面に臨む面の裏面の少なくとも前記水素連通孔の近傍が絶縁シートで覆われることが好ましい。この場合、カソード電極触媒層を覆うカソード給電体を水素連通孔側に延在させて、電解質膜の露出面を覆うことによって、該カソード電極触媒層の延在させた部分を上記の多孔質体として用いることができる。これによって、部品点数を増大させたり、製造工程を煩雑化させたりすることなく、電解質膜の損傷を効果的に回避することが可能な水電解装置を得ることが可能になる。
【００１４】
また、水電解装置では、水素連通孔の近傍に配設され且つカソードセパレータと電気的に接続される導電性の部材が、該カソードセパレータを介して供給される電流をカソード電極触媒層に導く導電通路を形成することがある。このため、上記のようにカソード給電体を水素連通孔側に延在させると、該カソード給電体の端部を導電通路に近づけることになる。この場合であっても、カソード給電体の水素連通孔側の端部の露出面に臨む面の裏面は絶縁シートで覆われているため、該端部に集中して電流が流れることを回避できる。これによって、カソード給電体の水素連通孔側の端部に腐食が生じることを抑制できるため、水電解装置の耐久性を向上させることができる。
【００１５】
上記の水電解装置において、前記カソード給電体は、前記水電解装置の通常運転時に加えられる圧力より高い圧力が加えられた場合に、該カソード給電体の細孔が圧縮されて形状変化し、前記水電解装置の通常運転時には、前記細孔が圧縮前の形状に維持されることが好ましい。この場合、水電解装置の通常運転時には、カソード電極触媒層で発生させた水素をカソード給電体の細孔の内部を介して水素連通孔の内部へと良好に流入させることが可能になる。
【００１６】
一方、水電解装置の異常時等に、通常運転時に加えられる圧力より大きな圧力がカソード給電体に加えられた場合には、その細孔が上記のように形状変化することで、該圧力による荷重を効果的に吸収することができる。このため、水電解装置の異常時等に、電解質膜のカソード電極触媒層側とアノード電極触媒層側の差圧が大きくなった場合であっても、電解質膜が損傷することを抑制できる。
【００１７】
上記の水電解装置において、前記カソード給電体は、前記水素連通孔と間隔を置いて配設され、前記多孔質体は、前記カソード電極触媒層とは別体からなる多孔質部材であり、前記多孔質部材は、前記カソード給電体と前記水素連通孔との間に配設されて、前記露出面を覆うこととしてもよい。この場合、カソード給電体の水素連通孔側の端部を水素連通孔から遠ざけることができる。このため、上記のようにカソード電極触媒層に電流を導く導電通路を水素連通孔の近傍に形成しても、カソード給電体に集中して電流が流れる箇所が生じることを回避して腐食の発生を抑制できる。
【００１８】
また、カソード給電体と水素連通孔との間に、電解質膜の露出面を覆う多孔質部材を設けることで、例えば、露出面を絶縁性の樹脂部材等で覆う場合に比して、電解質膜が損傷することを効果的に抑制することが可能になる。露出面を樹脂部材で覆う場合、上記の荷重が増大すると、樹脂部材が面方向に沿って伸長する。この際、露出面と樹脂部材との間に生じる摩擦力により、露出面が樹脂部材に引きずられるため、露出面にも面方向に沿った伸長が生じ易くなり、ひいては、電解質膜が損傷する懸念がある。
【００１９】
これに対して、多孔質部材では、上記の荷重が増大した場合、その細孔が圧縮されるように変形する。このため、電解質膜の露出面に面方向に沿った伸長変形が生じることを抑制できる。また、上記の通り、多孔質部材と露出面との間にはアンカー効果が生じるため、上記の荷重による電解質膜自体の伸長を抑制することも可能になる。
【００２０】
従って、この水電解装置では、露出面を樹脂部材に代えて多孔質部材で覆うことによって、上記の荷重が大きくなった場合であっても、電解質膜の損傷を効果的に抑制することが可能になる。
【００２１】
上記の水電解装置において、前記多孔質部材は、導電性であり且つ前記露出面に臨む面の裏面の少なくとも前記水素連通孔の近傍が絶縁シートで覆われることが好ましい。この場合、上記のようにカソード電極触媒層に電流を導く導電通路を水素連通孔の近傍に形成しても、多孔質部材に集中して電流が流れることを回避できるため、該多孔質部材に腐食が生じることを抑制できる。
【００２２】
上記の水電解装置において、前記絶縁シートの前記多孔質体とは反対側に隣接する隣接部材には、前記積層方向の深さが前記絶縁シートの厚さ以上であり、前記絶縁シートを収容する凹部が設けられることが好ましい。この場合、水電解セルの積層方向の厚さを増大させることなく、絶縁シートを設けることができる。従って、上記の通り多孔質体の腐食を抑制するべく絶縁シートを設けても、水電解セルに加えられる荷重が増大することを回避できる。
【発明の効果】
【００２３】
本発明の水電解装置によれば、電解質膜よりカソード電極触媒層側とアノード電極触媒層側との差圧が増大することにより、電解質膜に加えられる荷重が増大した場合であっても、電解質膜の損傷を効果的に回避することができる。
【図面の簡単な説明】
【００２４】
【図１】本発明の第１実施形態に係る水電解装置の斜視説明図である。
【図２】図１の水電解装置を構成する水電解セルの分解斜視説明図である。
【図３】図２のＩＩＩ−ＩＩＩ線矢視断面図である。
【図４】図３の要部拡大図である。
【図５】本発明の第２実施形態に係る水電解装置の要部拡大断面図である。
【発明を実施するための形態】
【００２５】
本発明に係る水電解装置について好適な実施形態を挙げ、添付の図面を参照しながら詳細に説明する。なお、以下の図において、同一又は同様の機能及び効果を奏する構成要素に対しては同一の参照符号を付し、繰り返しの説明を省略する場合がある。
【００２６】
図１に示すように、第１実施形態に係る水電解装置１０は、複数の水電解セル１２が鉛直方向（矢印Ａ方向）又は水平方向（矢印Ｂ方向）に積層された積層体１４を備える。積層体１４の積層方向一端側（上端側）には、ターミナルプレート１６ａ、絶縁プレート１８ａ及びエンドプレート２０ａが、上方に向かって、順次、配設される。積層体１４の積層方向他端側（下端側）には、同様にターミナルプレート１６ｂ、絶縁プレート１８ｂ及びエンドプレート２０ｂが、下方に向かって、順次、配設される。
【００２７】
水電解装置１０は、押圧機構、例えば、矢印Ａ方向に延在する４本のタイロッド２２を介して円盤状のエンドプレート２０ａ、２０ｂ間が一体的に締め付け保持され、積層方向に締結される。なお、水電解装置１０は、エンドプレート２０ａ、２０ｂを端板として含む箱状ケーシング（図示せず）により一体的に保持される構成を採用してもよい。また、水電解装置１０は、全体として略円柱体形状を有しているが、立方体形状等の種々の形状に設定可能である。
【００２８】
ターミナルプレート１６ａ、１６ｂの側部には、端子部２４ａ、２４ｂが外方に突出して設けられる。端子部２４ａ、２４ｂは、配線２６ａ、２６ｂを介して電解電源２８に電気的に接続される。
【００２９】
図２及び図３に示すように、水電解セル１２は、略円盤状の電解質膜・電極構造体３０と、該電解質膜・電極構造体３０を挟持するアノードセパレータ３２及びカソードセパレータ３４とを備える。アノードセパレータ３２とカソードセパレータ３４との間には、電解質膜・電極構造体３０を囲繞するように樹脂枠部材３６が配置される。
【００３０】
樹脂枠部材３６は、略リング形状であるとともに、該樹脂枠部材３６の両面には、シール部材３７ａ、３７ｂ（図３参照）が設けられる。樹脂枠部材３６の径方向（矢印Ｂ方向）一端には、積層方向（矢印Ａ方向）に互いに連通して、水（純水）を供給するための水供給連通孔３８ａが設けられる。樹脂枠部材３６の径方向（矢印Ｂ方向）他端には、反応により生成された酸素及び未反応の水（混合流体）を排出するための水排出連通孔３８ｂが設けられる。
【００３１】
図１に示すように、積層方向最下位に配置される樹脂枠部材３６の側部には、水供給連通孔３８ａ（図２及び図３参照）に連通する水供給口３９ａが接続される。積層方向最上位に配置される樹脂枠部材３６の側部には、水排出連通孔３８ｂ（図２及び図３参照）に連通する水排出口３９ｂが接続される。
【００３２】
図２及び図３に示すように、水電解セル１２には、径方向の中央部を積層方向に沿って貫通する水素連通孔３８ｃが設けられる。水素連通孔３８ｃは、水の電気分解により生成され、例えば、１ＭＰａ〜８０ＭＰａに昇圧させた状態の水素を排出する。
【００３３】
アノードセパレータ３２及びカソードセパレータ３４は、略円盤状であるとともに、例えば、カーボン部材等で構成される。アノードセパレータ３２及びカソードセパレータ３４は、その他、鋼板、ステンレス鋼板、チタン板、アルミニウム板、めっき処理鋼板、あるいはその金属表面に防食用の表面処理を施した金属板をプレス成形してもよい。あるいは、切削加工した後に防食用の表面処理を施して構成してもよい。
【００３４】
電解質膜・電極構造体３０は、略リング形状の固体高分子からなる電解質膜４０と、アノード電極触媒層４２ａと、カソード電極触媒層４４ａとを備え、リング形状を有する電解用のアノード給電体４２及びカソード給電体４４（多孔質体）により挟持される。電解質膜４０は、例えば、炭化水素（ＨＣ）系の膜又はフッ素系の膜により構成される。
【００３５】
電解質膜４０は、径方向の略中心に水素連通孔３８ｃが形成される。電解質膜４０の一方の面には、水素連通孔３８ｃの近傍及び該電解質膜４０の外周縁部を除く部分にリング形状を有するアノード電極触媒層４２ａが設けられる。電解質膜４０の他方の面には、水素連通孔３８ｃの近傍及び該電解質膜４０の外周縁部を除く部分にリング形状を有するカソード電極触媒層４４ａが形成される。つまり、電解質膜４０の他方の面の水素連通孔３８ｃの近傍の部分には、カソード電極触媒層４４ａから露出する露出面４０ａが設けられる。
【００３６】
アノード電極触媒層４２ａは、例えば、Ｒｕ（ルテニウム）系触媒を使用するとともに、カソード電極触媒層４４ａは、例えば、白金触媒を使用する。水電解セル１２では、アノード電極触媒層４２ａ及びカソード電極触媒層４４ａの積層方向に対向する範囲が電解領域となる。
【００３７】
アノード給電体４２及びカソード給電体４４は、例えば、球状アトマイズチタン粉末の焼結体（多孔質導電体）により構成される。アノード給電体４２及びカソード給電体４４は、研削加工後にエッチング処理される平滑表面部を設けるとともに、空隙率が１０％〜５０％、より好ましくは、２０％〜４０％の範囲内に設定される。
【００３８】
アノード給電体４２は、アノード電極触媒層４２ａの積層方向に対向する範囲（電解領域）に設けられるように内径及び外径が設定される。また、アノード給電体４２の外周には、枠部４２ｅが嵌め込まれる。枠部４２ｅは、アノード給電体４２よりも緻密に構成する。なお、電解領域の径方向外側まで延在させたアノード給電体４２の外周部を緻密に構成することにより、該外周部を枠部４２ｅとすることもできる。カソード給電体４４は、径方向の略中心に水素連通孔３８ｃが形成されるとともに、カソード電極触媒層４４ａ及び電解質膜４０の露出面４０ａを覆う。
【００３９】
アノードセパレータ３２及び樹脂枠部材３６は、電解質膜４０との間にアノード給電体４２が収容されるアノード室４５ａｎを形成する。カソードセパレータ３４及び樹脂枠部材３６は、電解質膜４０との間にカソード給電体４４が収容されるカソード室４５ｃａを形成する。
【００４０】
アノードセパレータ３２とアノード給電体４２との間（アノード室４５ａｎ）には、水流路部材４６が介装されるとともに、該アノード給電体４２とアノード電極触媒層４２ａとの間には、保護シート部材４８が介装される。図２に示すように、水流路部材４６は、略円盤状を有し、その外周部には、互いに径方向に対向する入口突起部４６ａ及び出口突起部４６ｂが形成される。
【００４１】
入口突起部４６ａには、水供給連通孔３８ａに連通する供給連結路５０ａが形成されるとともに、該供給連結路５０ａは、水流路５０ｂに連通する（図３参照）。水流路５０ｂには、複数個の孔部５０ｃが連通しており、該孔部５０ｃは、アノード給電体４２に向かって開口する。出口突起部４６ｂには、水流路５０ｂに連通する排出連結路５０ｄが形成され、該排出連結路５０ｄは、水排出連通孔３８ｂに連通する。
【００４２】
保護シート部材４８は、内周がアノード給電体４２の内周よりも内方に配置されるとともに、外周位置が電解質膜４０及び枠部４２ｅの外周位置と同一位置に設定される。保護シート部材４８は、電解領域に設けられる複数の貫通孔４８ａを有する。保護シート部材４８は、電解領域よりも径方向外側に枠部４８ｂを有する。枠部４８ｂには、例えば、長方形状の孔部（図示せず）が形成される。
【００４３】
アノードセパレータ３２と電解質膜４０との間の径方向中心側には、水素連通孔３８ｃを囲繞する略円筒状の連通孔体５２が配置される。なお、以下では、水流路部材４６と、アノード給電体４２と、保護シート部材４８とをアノード側部材と総称することもある。この場合、連通孔体５２は、水素連通孔３８ｃの径方向において、該水素連通孔３８ｃとアノード側部材との間に配置される。
【００４４】
連通孔体５２は、水素連通孔３８ｃに臨む多孔質体からなる内側部材５４と、該内側部材５４とアノード側部材との間に配置される外側部材５５とを有する。外側部材５５の内側部材５４に臨む側には、収容室５５ａ、５５ｂが設けられる。収容室５５ａ、５５ｂは、外側部材５５の径方向中心側且つ軸方向（積層方向）の両端をリング状に切り欠いて形成され、水素連通孔３８ｃを周回するシール部材（Ｏリング）５６ａ、５６ｂが配置される。これによって、水素連通孔３８ｃと、アノード室４５ａｎ（アノード給電体４２側）とがシールされている。
【００４５】
図２及び図３に示すように、外側部材５５のアノード側部材に臨む側には、電解質膜４０に対向する端面に、保護シート部材４８が配置される溝部５５ｓが形成される。
【００４６】
カソード室４５ｃａ内の電解領域には、カソード給電体４４と、該カソード給電体４４をカソード電極触媒層４４ａに押圧する荷重付与機構５８とが配置される。荷重付与機構５８は、例えば、板ばね６０等の導電性の弾性部材を備えるとともに、該板ばね６０は、金属製の板ばねホルダ（シム部材）６２を介してカソード給電体４４に荷重を付与する。なお、弾性部材としては、板ばね６０の他、皿ばねやコイルスプリング等を使用することができる。
【００４７】
カソード給電体４４と板ばねホルダ６２との間には、導電シート６６（隣接部材）と、絶縁シート６８の一部とが配置される。図３及び図４に示すように、導電シート６６は、例えば、チタン、ＳＵＳ又は鉄等の金属シートにより構成されるとともに、径方向の略中心に水素連通孔３８ｃが形成されたリング形状を有し、カソード給電体４４と略同一の内径及び外径に設定される。また、導電シート６６のカソード給電体４４に臨む側には、絶縁シート６８の厚さ以上の深さの凹部６６ａが形成される。
【００４８】
絶縁シート６８は、例えば、ＰＥＮ（ポリエチレンナフタレート）やポリイミドフィルム等の絶縁性の樹脂シートにより構成されるとともに、径方向の略中心に水素連通孔３８ｃが形成されたリング形状を有し、導電シート６６の凹部６６ａに収容される。つまり、カソード給電体４４は、電解質膜４０側に臨む面の裏面４４ｂが、絶縁シート６８と、導電シート６６の凹部６６ａよりも径方向外側の部分とにより覆われる。なお、絶縁シート６８は、図３及び図４に示すように、その径方向外側の端部の一部のみが、電解領域内に配設されることが好ましい。しかしながら、特にこれには限定されず、絶縁シート６８は、カソード給電体４４の裏面４４ｂの少なくとも水素連通孔３８ｃの近傍を覆うように設けられればよく、例えば、電解領域よりも径方向中心側に配設されていてもよい。
【００４９】
径方向における荷重付与機構５８と水素連通孔３８ｃとの間であって、積層方向における導電シート６６とカソードセパレータ３４との間には、筒部材７０が配置される。筒部材７０は、例えば金属等の導電性の材料からなる円筒形状を有し、中央部に水素連通孔３８ｃが形成される。筒部材７０のカソードセパレータ３４に臨む側の一端面には、カソード室４５ｃａと水素連通孔３８ｃとを連通する水素排出通路７１が形成される。
【００５０】
上記のように、アノードセパレータ３２とカソードセパレータ３４との間に、連通孔体５２（外側部材５５）及び筒部材７０を配設することにより、水電解セル１２の水素連通孔３８ｃの近傍の耐荷重性を向上させることができる。また、連通孔体５２と筒部材７０との間に、電解質膜４０（露出面４０ａ）、カソード給電体４４、絶縁シート６８及び導電シート６６の電解領域よりも径方向中心側の部分（水素連通孔３８ｃの近傍の部分）が挟持される。
【００５１】
カソード室４５ｃａ内の電解領域よりも径方向外側には、電解質膜４０とカソードセパレータ３４との間に介在するようにシール部材（Ｏリング）７２が配置される。シール部材７２の外周には、耐圧部材７４が配置される。耐圧部材７４は、略リング形状を有するとともに、外周部が樹脂枠部材３６の内周部に嵌合する。
【００５２】
水電解セル１２には、カソードセパレータ３４から筒部材７０、導電シート６６及びカソード給電体４４に電気的に連なる導電通路と、カソードセパレータ３４から板ばね６０、板ばねホルダ６２、導電シート６６及びカソード給電体４４に電気的に連なる導電通路が形成される。
【００５３】
図１に示すエンドプレート２０ａには、図示しないが、水素連通孔３８ｃと連結する配管が設けられ、該配管には、水素連通孔３８ｃを介した水素の排出を規制することが可能な背圧機構が設けられる。
【００５４】
基本的には上記のように構成される水電解装置１０の動作について、以下に説明する。
【００５５】
図１に示すように、水供給口３９ａから水電解装置１０の水供給連通孔３８ａ（図２参照）に水が供給されるとともに、ターミナルプレート１６ａ、１６ｂの端子部２４ａ、２４ｂに電解電源２８を介して電圧が付与される。このため、図３に示すように、各水電解セル１２では、水供給連通孔３８ａから供給連結路５０ａを通って水流路部材４６の水流路５０ｂに水が供給される。水は、複数個の孔部５０ｃからアノード給電体４２に供給され、前記アノード給電体４２内に移動する。
【００５６】
従って、水は、アノード電極触媒層４２ａで電気により分解され、水素イオン、電子及び酸素が生成される。この陽極反応により生成された水素イオンは、電解質膜４０を透過してカソード電極触媒層４４ａ側に移動し、電子と結合して水素が得られる。この水素は、カソード給電体４４の細孔及び水素排出通路７１を介して水素連通孔３８ｃに排出される。
【００５７】
上記の背圧機構により水素連通孔３８ｃからの水素の排出を規制した状態で各水電解セル１２における水の電気分解反応を進行させると、生成した水素によってカソード室４５ｃａの内圧が上昇する。その結果、電解質膜４０よりカソード電極触媒層４４ａ側（カソード室４５ｃａ）がアノード電極触媒層４２ａ側（アノード室４５ａｎ）に比して昇圧し、水素連通孔３８ｃ内の水素が高圧に維持される。これによって、所定の圧力に高圧化した水素を水電解装置１０から取り出すことが可能となる。一方、陰極反応により生成した酸素と未反応の水とは、常圧のまま水排出連通孔３８ｂ及び水排出口３９ｂを介して水電解装置１０の外部に排出される。
【００５８】
水電解装置１０では、上記の通り、電解質膜４０の水素連通孔３８ｃの近傍にカソード電極触媒層４４ａから露出する露出面４０ａが設けられ、該露出面４０ａがカソード給電体４４によって覆われる。カソード給電体４４は、多孔質体からなるため、電解質膜４０よりカソード電極触媒層４４ａ側とアノード電極触媒層４２ａ側との差圧により加えられる荷重が増大した場合であっても、該カソード給電体４４の細孔が圧縮されるように形状変化することで、該荷重を良好に吸収できる。従って、電解質膜４０のうち、特に、カソード電極触媒層４４ａから露出し、連通孔体５２と筒部材７０との間で高圧圧縮され易い部位に設けられる露出面４０ａについても、上記の荷重の影響を受けて損傷することを回避できる。
【００５９】
また、上記の荷重によって、カソード給電体４４が露出面４０ａに押圧されると、該カソード給電体４４の細孔内に電解質膜４０の一部が進入することで、互いの間にアンカー効果が生じる。このため、カソード給電体４４を介して露出面４０ａに加えられる上記の荷重が増大した際に、該露出面４０ａが、その面方向に伸長変形することを抑制できる。これによっても、電解質膜４０の損傷を回避できる。
【００６０】
以上から、この水電解装置１０によれば、電解質膜４０よりカソード電極触媒層４４ａ側とアノード電極触媒層４２ａ側との差圧が増大することにより、電解質膜４０に加えられる上記の荷重が増大した場合であっても、電解質膜４０の損傷を効果的に回避することができる。
【００６１】
水電解装置１０では、カソード電極触媒層４４ａを覆うカソード給電体４４を、電解領域よりも水素連通孔３８ｃ側に延在させて、電解質膜４０の露出面４０ａを覆うこととした。これによって、例えば、カソード給電体４４とは別体からなる多孔質体により露出面４０ａを覆う場合に比して、水電解装置１０の部品点数を増大させたり、製造工程を煩雑化させたりすることなく、電解質膜４０の損傷を回避することが可能になる。
【００６２】
水電解装置１０では、水素連通孔３８ｃの近傍に配設され且つカソードセパレータ３４と電気的に接続される導電性の部材として、筒部材７０、導電シート６６及びカソード給電体４４に導電通路が形成される。このため、上記のようにカソード給電体４４を水素連通孔３８ｃ側に延在させると、該カソード給電体４４の端部を導電通路に近づけることになる。この場合であっても、カソード給電体４４の裏面４４ｂが絶縁シート６８で覆われているため、カソード給電体４４の水素連通孔３８ｃ側の端部に集中して電流が流れることを回避できる。これによって、カソード給電体４４に腐食が生じることを抑制できるため、水電解装置１０の耐久性を向上させることができる。この際、上記の通り、絶縁シート６８の径方向外側の端部の一部のみを電解領域内に配設することで、カソード給電体４４に向かう電流の流れを絶縁シート６８が妨げることを抑制しつつ、カソード給電体４４の腐食を効果的に抑制することが可能になる。
【００６３】
上記のように電解質膜４０の露出面４０ａを覆うカソード給電体４４では、例えば、その材料の選定や空隙率を調整すること等によって、水電解装置１０の通常運転時に加えられる圧力（例えば、７０〜８０ＭＰａ）より高い圧力が加えられた場合に、該カソード給電体４４の細孔が圧縮されて形状変化し、水電解装置１０の通常運転時には、細孔が圧縮前の形状に維持されることが好ましい。
【００６４】
これによって、水電解装置１０の通常運転時には、カソード電極触媒層４４ａで発生させた水素をカソード給電体４４の細孔の内部を介して水素連通孔３８ｃの内部へと良好に流入させることが可能になる。
【００６５】
一方、水電解装置１０の異常時等に、通常運転時に加えられる圧力より大きな圧力が加えられた場合には、カソード給電体４４の細孔が上記のように形状変化することで、該圧力による荷重を効果的に吸収することができる。このため、水電解装置１０の異常時等に、電解質膜４０よりカソード電極触媒層４４ａ側とアノード電極触媒層４２ａ側の差圧が大きくなった場合であっても、電解質膜４０が損傷することを抑制できる。
【００６６】
水電解装置１０では、導電シート６６に凹部６６ａが設けられ、該凹部６６ａに絶縁シート６８が収容されることとした。これによって、水電解セル１２の積層方向の厚さを増大させることなく、絶縁シート６８を設けることができる。従って、上記の通りカソード給電体４４の腐食を抑制するべく絶縁シート６８を設けても、水電解セル１２に加えられる荷重が増大することを回避できる。
【００６７】
また、樹脂製の絶縁シート６８は、カソード給電体４４と導電シート６６との間で水電解セル１２にかかる荷重を低減させるクッション機能も有する。この際、絶縁シート６８がカソード給電体４４に押圧されると、該カソード給電体４４の細孔内に絶縁シート６８の一部が進入することでアンカー効果が生じるため、絶縁シート６８がその面方向に伸長変形することを抑制できる。また、絶縁シート６８は、導電シート６６の凹部６６ａに収容されているため、該凹部６６ａの内壁に当接することによっても、上記の伸長変形が生じることを抑制できる。これらによって、上記の荷重が増大した際に、絶縁シート６８が損傷することについても、効果的に回避できる。
【００６８】
次に、図５を参照しつつ、第２実施形態に係る水電解装置８０について説明する。水電解装置８０は、カソード給電体４４に代えてカソード給電体８２を備えること、及び多孔質部材８４（多孔質体）をさらに備えることを除いて、第１実施形態に係る水電解装置１０と同様に構成されている。カソード給電体８２は、電解領域に設けられるようにその内径及び外径が設定される。このため、カソード給電体８２の径方向中心側の端部８２ａは、水素連通孔３８ｃと間隔を置いて配設される。
【００６９】
多孔質部材８４は、カソード給電体８２と水素連通孔３８ｃとの間に配設されて、電解質膜４０の露出面４０ａを覆うとともに、例えば、アノード給電体４２やカソード給電体８２と同様の材料から構成される。また、多孔質部材８４の厚さはカソード給電体８２の厚さと同じに設定され、多孔質部材８４の径方向の略中心には水素連通孔３８ｃが形成される。多孔質部材８４の露出面４０ａに臨む面の裏面８４ａは、絶縁シート６８で覆われる。
【００７０】
上記のように構成される第２実施形態に係る水電解装置８０では、カソード給電体８２の径方向中心側の端部８２ａを水素連通孔３８ｃから遠ざけることができる。このため、上記のように水素連通孔３８ｃの近傍に配設される筒部材７０、導電シート６６及びカソード給電体８２に導電通路が形成されても、カソード給電体８２に集中して電流が流れる箇所が生じることを回避できる。その結果、カソード給電体８２に腐食が発生することを効果的に抑制できる。
【００７１】
この際、多孔質部材８４は、絶縁シート６８で覆われているため、該多孔質部材８４に集中して電流が流れることも回避できる。これによって、多孔質部材８４に腐食が生じることも抑制できる。なお、多孔質部材８４が絶縁性である場合、水電解装置８０は、絶縁シート６８を備えず、導電シート６６に凹部６６ａが設けられていなくてもよい。
【００７２】
また、上記の通り、カソード給電体８２と水素連通孔３８ｃとの間に、露出面４０ａを覆う多孔質部材８４を設けることで、例えば、該多孔質部材８４と同形状の絶縁性の樹脂部材（不図示）で露出面４０ａを覆う場合に比して、電解質膜４０が損傷することをより効果的に抑制できる。
【００７３】
すなわち、露出面４０ａを樹脂部材で覆う場合、上記の荷重が増大すると、該樹脂部材が面方向に沿って伸長する。この際、露出面４０ａと樹脂部材との間に生じる摩擦力により、露出面４０ａが樹脂部材に引きずられるため、露出面４０ａにも面方向に沿った伸長が生じ易くなり、ひいては損傷が生じ易くなる懸念がある。
【００７４】
これに対して、多孔質部材８４では、上記の荷重が増大した場合、その細孔が圧縮されるように変形するため、面方向に伸長変形することが抑制されている。このため、多孔質部材８４の変形に伴う露出面４０ａの伸長変形を抑制できる。また、上記の通り、多孔質部材８４と露出面４０ａとの間にはアンカー効果が生じるため、上記の荷重が増大することによる露出面４０ａ自体の伸長変形も抑制できる。
【００７５】
本発明は、上記した実施形態に特に限定されるものではなく、その要旨を逸脱しない範囲で種々の変形が可能である。
【実施例】
【００７６】
［実施例１〜７］
図３と同様に構成した３個の水電解セル１２を積層して作製した積層体１４を用いて、実施例１〜７に係る水電解装置１０を得た。これらの各水電解装置１０に、電解質膜４０よりアノード電極触媒層４２ａ側とカソード電極触媒層４４ａ側との差圧に対応するように、不図示の面圧付与装置を用いて、それぞれ異なる大きさの面圧を付与した。
【００７７】
具体的には、実施例１には１００ＭＰａ、実施例２には２００ＭＰａ、実施例３には２５０ＭＰａ、実施例４には３００ＭＰａ、実施例５には３５０ＭＰａ、実施例６には４００ＭＰａ、実施例７には４５０ＭＰａの面圧をそれぞれ付与した。その後、各水電解装置１０を解体し、３個の水電解セル１２のそれぞれについて、電解質膜４０に破れが生じているか否かを確認した。その結果、実施例１〜７の全てについて、３個の水電解セル１２の何れの電解質膜４０にも破れが生じていなかった。
【００７８】
［比較例１〜７］
比較のため、図５に示す水電解セル１２の多孔質部材８４に代えて、該多孔質部材８４と同形状のＰＥＮからなる上記の樹脂部材を設けるとともに、導電シート６６の凹部６６ａ及び絶縁シート６８を設けずに構成した３個の水電解セルを積層して積層体を作製した。この積層体を用いて、比較例１〜７に係る水電解装置を得た。これらの比較例１〜７に対しても、実施例１〜７と同様に面圧をそれぞれ付与した後、各水電解装置を解体し、３個の水電解セルのそれぞれについて、電解質膜４０に破れが生じているか否かを確認した。その結果、比較例１〜３では、３個の水電解セルの何れの電解質膜４０にも破れが生じていなかったが、比較例４〜７の積層体では、３個の水電解セルの少なくとも何れか１つの電解質膜４０に破れが生じていた。
【００７９】
以上から、電解質膜４０の露出面４０ａを多孔質体からなるカソード給電体４４によって覆う水電解装置１０によれば、特に、上記の面圧が３００ＭＰａ以上となる高圧下において、露出面４０ａを樹脂部材で覆った場合よりも効果的に電解質膜４０の損傷を抑制できることが分かった。
【００８０】
［実施例８、９］
図３と同様に構成した５個の水電解セル１２を積層して作製した積層体１４を用いて、実施例８に係る水電解装置１０を得た。また、図３に示す水電解セル１２の導電シート６６の凹部６６ａ及び絶縁シート６８を設けずに構成した５個の水電解セル１２を積層して作製した積層体１４を用いて、実施例９に係る水電解装置１０を得た。これらの水電解装置１０のそれぞれに水を供給するとともに電解電源２８を介して電圧を付与することで、３０００時間連続して水の電気分解を行った。この際、水電解装置１０の温度を６５℃とし、電解質膜４０よりアノード電極触媒層４２ａ側とカソード電極触媒層４４ａ側との差圧を７０ＭＰａとした。
【００８１】
次に、実施例８、９の水電解装置１０をそれぞれ解体し、各水電解装置１０の５個の水電解セル１２について、カソード給電体４４に腐食による変色が生じているか否かを確認した。その結果、実施例８では５個の水電解セル１２の何れのカソード給電体４４にも変色が生じていなかった。一方、実施例９では、変色が生じているカソード給電体４４も確認された。
【００８２】
以上から、上記のようにカソード給電体４４を水素連通孔３８ｃ側に延在させて、該カソード給電体４４の端部を導電通路に近づけた場合であっても、該カソード給電体４４の裏面４４ｂを絶縁シート６８で覆うことによって、カソード給電体４４に腐食が生じることを効果的に抑制できることが分かった。
【符号の説明】
【００８３】
１０、８０…水電解装置                    １２…水電解セル
１４…積層体                              ３２…アノードセパレータ
３４…カソードセパレータ                  ４０…電解質膜
４０ａ…露出面                            ４２…アノード給電体
４２ａ…アノード電極触媒層                ４４、８２…カソード給電体
４４ａ…カソード電極触媒層                ６６…導電シート
６６ａ…凹部                              ６８…絶縁シート
８２ａ…端部                              ８４…多孔質部材
【図１】
2019157213.tif 000003
【図２】
2019157213.tif 000004
【図３】
2019157213.tif 000005
【図４】
2019157213.tif 000006
【図５】
2019157213.tif 000007